(57)【特許請求の範囲】
【請求項１】
袋本体と、
該袋本体に対して使用者の肩に掛けられる位置に配置されているショルダーストラップと、
該ショルダーストラップに案内されて当該ショルダーストラップの長手方向に相対移動可能であって、一端部が前記袋本体に直接または間接的に接続され、他端部付近で折り返され当該他端部が前記ショルダーストラップの一部に固定されている上ウェビングと、
該上ウェビングに対して相対変位可能な状態で直接または間接的に連結されている一端部と、前記袋本体の底部付近に固定された他端部とを有する下ウェビングと、
を備え、
当該背負バッグを背負った使用者が前記上ウェビングの一部を引くことにより、前記袋本体を使用者の身体側に引き寄せる動作と、前記上ウェビングの他端部付近における折り返し長さの調整動作と、を同時に行うことを可能とした、背負バッグ。
【請求項２】
前記ショルダーストラップにループ部が形成され、該ループ部に前記上ウェビングが摺動可能な状態で当該ショルダーストラップの長手方向に通されている、請求項１に記載の背負バッグ。
【請求項３】
前記上ウェビングと前記下ウェビングとが留め具を介して連結されている、請求項１に記載の背負バッグ。
【請求項４】
前記上ウェビングが、前記留め具において、前記使用者の前面から背面側へ向けて折り返されている、請求項３に記載の背負バッグ。
【請求項５】
当該背負バッグは、骨格となるフレームを有しており、
前記ショルダーストラップは、前記袋本体の重量が前記フレームを介して伝達されるように当該フレームに実質的に連結されている、請求項１から４のいずれか一項に記載の背負バッグ。
【請求項６】
前記上ウェビングの前記一端部が前記フレームに接続されている、請求項５に記載の背負バッグ。
【発明の詳細な説明】
【技術分野】
【０００１】
本発明は、背負バッグに関する。さらに詳述すると、本発明は、使用者の両肩に背負われる形式の背負バッグにおけるショルダーベルトの構造の改良に関する。
【背景技術】
【０００２】
バックパックなどの背負バッグは通常、使用者の肩に掛けられる一対のショルダーベルト（肩掛け）を介して使用者の背中に背負われるようになっている。特に、登山やハイキングに好適な背負バッグは、比較的大容量の袋本体を有し、比較的大きな重量の荷物内容物を袋本体に収納した状態で長時間使用者が背負う場合が多い。また、使用者が、このような荷物を背負った状態で歩行し、または急勾配を登ったり降りたりするようなこともある。
【０００３】
このように背負バッグなどを背負って歩行したり登り下りしたりする場合、背負った荷物の荷重が均一に使用者の肩から背中に作用するのが望ましく、尚かつその状態が使用者の移動および運動中においても維持されることが望ましい。一方で、使用者の背中と背負バッグとの間に隙間があるような状態だと、背負バッグとの一体感が得られにくいばかりでなく、荷物が左右に振れやすいため安定性に欠けるという問題が生じる。
【０００４】
通常、このように使用者の背中と背負バッグとの間に隙間がある状態のとき、使用者が背負バッグを担ぎ上げたり、背負バッグの位置を上方にずらしたりして隙間をなくし、安定性を向上させようとする動作は散見されることである。このような動作の回数は、特に、背負バッグに重い荷物が収容されているときに多くなる傾向にある。
【０００５】
また、背負バッグを背負う際あるいは背負った際、ショルダーベルトの全体長さを調整する（一般的には短くする）ことによって安定性を向上させようとする動作も同様に散見されることである。従来、このような背負バッグとして、ショルダーベルトの位置を使用者の体格に応じて調整できるようにしたもの等が提案されている（例えば特許文献１，２参照）。
【先行技術文献】
【特許文献】
【０００６】
【特許文献１】実公昭５８−４３８８５号公報
【特許文献２】実公昭５９−１５３３号公報
【発明の概要】
【発明が解決しようとする課題】
【０００７】
しかしながら、上述のごとき従来の背負バッグにおいては、使用者が背負バッグを担ぎ上げる等して背中との隙間をなくそうとする動作と、ショルダーベルトの全体長さを調整する動作とは別々の動きとなることが通常である。したがって、使用者は、特に疑問を感じたり違和感を覚えたりすることなく、背負バッグとの一体感を向上させるべくこれらの動作（アクション）をそれぞれ別々に、しかも左右それぞれについて行っている。
【０００８】
そこで、本発明は、１回のアクションで、ショルダーベルトの長さ調整動作と袋本体を使用者の身体側に引き寄せる動作とを同時に行うことができるようにした背負バッグを提供することを目的とする。
【課題を解決するための手段】
【０００９】
かかる課題を解決するべく本発明者は検討した。上述のように、従来の背負バッグの構造上、該背負バッグを担ぎ上げる等して隙間をなくそうとする動作とショルダーベルトの全体長さを調整する動作とが別々であること自体に問題や違和感がない。このため、そもそも、これらの動作を１回のアクションで同時に済まそうとすることへの動機付けや着眼点は非常に乏しいものであるが、本発明者は、従来とは異なる特徴ある構造について考えを巡らせた結果、新たな知見を得るに至った。
【００１０】
本発明に係る背負バッグはこのような知見に基づくもので、袋本体と、該袋本体に対して使用者の肩に掛けられる位置に配置されているショルダーストラップと、該ショルダーストラップに案内されて当該ショルダーストラップの長手方向に相対移動可能であって、一端部が袋本体に直接または間接的に接続され、他端部付近で折り返され当該他端部がショルダーストラップの一部に固定されている上ウェビングと、該上ウェビングに対して相対変位可能な状態で直接または間接的に連結されている一端部と、袋本体の底部付近に固定された他端部とを有する下ウェビングと、を備え、当該背負バッグを背負った使用者が上ウェビングの一部を引くことにより、袋本体を使用者の身体側に引き寄せる動作と、上ウェビングの他端部付近における折り返し長さの調整動作と、を同時に行うことを可能としている。
【００１１】
使用者がこの背負バッグを背負った状態で上ウェビングを手前側に引き出すと、以下の（Ａ）、（Ｂ）の動作が同時に行われる。
（Ａ）当該上ウェビングの一端部が前方（使用者の前面側）に引き出される。これに伴い、該一端部が直接または間接的に接続されている袋本体が前方（使用者の身体側）へと引き寄せられ、使用者の背中との間における隙間を減少させ、または無くす。
（Ｂ）上ウェビングが手前に引き出されると、引き出された分、ショルダーストラップに対する当該上ウェビングの相対位置が変わるが、その一方で、上ウェビングの他端部はショルダーストラップの一部に固定されていることから、このように相対位置が変わることに伴い、該上ウェビングの折り返し箇所（折り返し部の位置）も変わる。このように折り返し部の位置が変わると、折り返し長さ（折り返された上ウェビングが重なり合って２層となっている部分の長さ）も変わる。この結果、ショルダーベルト（肩掛け）の全体長さが短くなる。
【００１２】
一方で、従来構造の背負バッグであれば、ショルダーベルト本体の全体長さを調整する部分と袋本体（荷物）を引き寄せる部分が独立して構成されており、ショルダーベルト本体の全体長さを調整しようとすれば左右それぞれ調整するための動作が必要であり、また、これとは別に、袋本体を引き寄せる為の動作を別途行わなければならず、調整が２度ずつ必要である。これに対し、以上のような動作を実現した本発明にかかる背負バッグによれば、１回のアクションで、ショルダーベルトの長さ調整動作と袋本体を使用者の身体側に引き寄せる動作とを同時に行うことができる。
【００１３】
しかも、従来構造の背負バッグであれば、ショルダーベルト本体の全体長さを調整する部分と袋本体（荷物）を引き寄せる部分が独立して構成されていたのに対し、本発明にかかる背負バッグにおいては、一部のパーツにこれら両部分の機能を兼ね備えた構成とすることができる。したがって、従来構造よりも使用しているパーツを少なくし、軽量化、低コスト化を図ることができる。
【００１４】
また、ショルダーストラップにループ部が形成され、該ループ部に上ウェビングが摺動可能な状態で当該ショルダーストラップの長手方向に通されていることが好ましい。ショルダーストラップと上ウェビングとの間の摩擦力が適度に確保されていれば、調整後、ショルダーストラップと上ウェビングとがずれにくく、両者の相対位置が保たれやすい。
【００１５】
また、上述の背負バッグにおいては、上ウェビングと下ウェビングとが留め具を介して連結されていてもよい。さらに、このような背負バッグにおいては、上ウェビングが、留め具において、使用者の前面から背面側へ向けて折り返されていることが好ましい。
【００１６】
本発明に係る背負バッグにおいて、当該背負バッグは、骨格となるフレームを有しており、ショルダーストラップは、袋本体の重量がフレームを介して伝達されるように当該フレームに実質的に連結されているものとすることができる。この場合、使用者がこの背負バッグを背負った状態で上ウェビングを手前側に引き出すことにより、フレーム（骨格）を介して背負バッグ全体を前方（使用者の身体側）へと引き寄せることができる。このような背負バッグにおいては、上ウェビングの一端部がフレームに接続されていてもよい。
【発明の効果】
【００１７】
本発明によれば、１回のアクションで、ショルダーベルトの長さ調整動作と袋本体を使用者の身体側に引き寄せる動作とを同時に行うことができるようになる。
【図面の簡単な説明】
【００１８】
【図１】本発明を適用した背負バッグの一例を示す、使用者に背負われた状態の側面図である。
【図２】図１に示す状態から、上ウェビングの一部を手前側に引き出した際の背負バッグの様子を示す側面図である。
【図３】手前に引き出した上ウェビングの一部を離した後、ショルダーベルトの長さが自動的に短くなる様子を示す背負バッグの側面図である。
【図４】背負バッグに内蔵されるフレーム、該フレームに接続された上ウェビング、下ウェビング等の構成例を示す斜視図である。
【発明を実施するための形態】
【００１９】
以下、本発明の構成を図面に示す実施の形態の一例に基づいて詳細に説明する。
【００２０】
図１〜図４に本発明にかかる背負バッグの一実施形態を示す。以下では、一例としてバックパックに本発明を適用した場合を例示して説明する。本実施形態のバックパック１は、袋本体２、ショルダーストラップ３、フレーム４、上ウェビング５、バックル６、下ウェビング７などを備えている（図１等参照）。
【００２１】
袋本体２は、通常、天然繊維もしくは合成繊維の織布または不織布によって構成されるもので、適当な可撓性ならびに剛性を有している。本実施形態の袋本体２は全体として有底袋状に形成され、内部に荷物収容スペースが形成されるとともに、その上部には蓋体（図示省略）が装着されるようになっている。袋本体２の背面（使用者の背中に接する側）２６は使用者の背中に合わせて略平坦に形成され、該背中への接触感を高めるクッション材２７が全面または一部に適宜配置されている。袋本体２の背面２６の裏側には、フレーム４を収納するためのフレーム挿入部２２が形成されている。また、この背面２６には左右一対のショルダーベルト（肩掛け）１０が配置される。
【００２２】
ショルダーベルト（肩掛け）１０は、使用者が当該バックパック１を背負う際に両肩に掛ける部分である。本実施形態のバックパック１におけるショルダーベルト１０は、ショルダーストラップ３、上ウェビング５、バックル６、下ウェビング７によって構成されている。
【００２３】
ショルダーストラップ３は、左右対称構造であり、袋本体２に対して使用者の肩に掛けられる位置に配置されている。本実施形態のショルダーストラップ３は、左右それぞれがショルダーストラップ支持体３５（図４参照）に取り付けられた状態となって全体としてＶ字状となっている。また、ショルダーストラップ３にはループ部３ａが形成されており、該ループ部３ａに上ウェビング５が摺動可能な状態で通されている。
【００２４】
フレーム４は、当該バックパック１の全体形状が維持されるように骨格を形成しているもので、所定の弾性および剛性を有する金属材料を所定形状に周回させた形状となっている（図１等参照）。該フレーム４は、袋本体２の背面２６に形成されている上述のフレーム挿入部２２に挿入される。フレーム４の材料は、適度な強度と剛性、および可撓性を有する例えばアルミニウム製のロッド、ワイヤーもしくはパイプがあげられるが、これらに限定されることはない。このようなフレーム４は、構造的な強度および剛性を袋本体２の背面２６に与えており、さらに適度な可撓性を発揮することで使用者の背中の形状にフレーム４自体を合致させ、且つその位置を保持することが可能である。材質によっては、使用者が、なんら特別な器具を使用することなく、手で当該フレーム４の形状を調節して自分の背中に適合させることも可能である。この場合のフレーム４の調整は、該フレーム４が袋本体２内に配置された状態で行うこともできるが、フレーム４を袋本体２から容易に取り出すように構成すれば、その調整をより容易なものとすることもできる。
【００２５】
上ウェビング５は、ショルダーストラップ３に対してずれるように摺動することにより、該ショルダーストラップ３の長手方向に相対移動可能である。該上ウェビング５の上側（使用者の肩側）部分における一端部５ａは、袋本体２に接続されている。また、上ウェビング５の下側（使用者の腰側）部分は、バックル６を通過して折り返される折り返し部５ｃとされ、さらに他端部５ｂがショルダーストラップ３の端部に固着されている（図１等参照）。本実施形態における上ウェビング５の折り返し部５ｃは、バックル６に対して他端部５ｂが使用者の前面から背面側へ向けて折り返されることによって形成されている（図１参照）。
【００２６】
また、この上ウェビング５は、ショルダーストラップ３に対する相対的な摩擦力が適度に確保されているものであることが好ましい。こうした場合、ショルダーストラップ３と上ウェビング５との相対的位置がずれにくくなり、使用者がショルダーベルト（肩掛け）１０の長さ調整や袋本体２の引き寄せ動作をするとき以外は両者の相対位置が保たれやすくなる。本実施形態では、上述したようにショルダーストラップ３にループ部３ａが形成し、該ループ部３ａに上ウェビング５が摺動可能な状態で通す構造として、両者の間に適度な摩擦力が作用するようにしている。この場合、これらショルダーストラップ３や上ウェビング５の幅、厚み、素材、接触面の表面処理などを適宜組み合わせることによって、具体的な摩擦力（相対位置のずれにくさ）を変化させることができる。
【００２７】
バックル（留め具）６は、上ウェビング５と下ウェビング７とを間接的に連結する留め具である。該バックル６の上部においては上ウェビング５の下側部分が通されて折り返されている（図１参照）。また、バックル６の下部においては、下ウェビング７の上側部分における一端部７ａが通され、折り返されてからもう一度バックル６を通され、下ウェビング７どうしを面接触させることにより当該接触し合っている部分の相対位置がずれない程度の摩擦力を生じさせる構成になっている（図１等参照）。使用者は、バックル６における下ウェビング７の折り返し部分を引き出していったん緩め、折り返し位置を変えることにより、ショルダーベルト（肩掛け）１０の長さ（上ウェビング５の一端部５ａからバックル６を経由して下ウェビング７の他端部７ｂまでの長さ）を調整することができる。
【００２８】
下ウェビング７は、バックル６を介して、上ウェビング５と袋本体２とを繋ぐ部材である。下ウェビング７の一端部７ａは、バックル６で折り返されて通常は係止した状態となっている一方で、該バックル６に対し該下ウェビング７を引き出したり押し込んだりして緩めることで位置をずらし、バックル６からの引き出し量を変えることができる。これにより、当該下ウェビング７の一端部７ａの上ウェビング５に対する相対位置を変位させるとともに、当該下ウェビング７のバックル６から他端部７ｂまでの長さの調整をすることが可能となっている。なお、下ウェビング７の他端部７ｂは、袋本体２の下部に接続されている（図４等参照）。当該下ウェビング７の他端部７ｂは、フレーム４にではなく袋本体２の所定箇所に縫い込まれる等して接続されていてもよい。
【００２９】
以上のように構成された本実施形態のバックパック１においては、１回のアクションで、ショルダーベルト（肩掛け）１０の長さ調整動作と袋本体を使用者の身体側に引き寄せる動作とを同時に行うことができる（図１〜図３参照）。
【００３０】
すなわち、使用者が当該バックパック１を背負った状態で（図１参照）、例えば上ウェビング５の折り返し部５ｃに両側から差し入れた左右の親指を前方にずらす等して上ウェビング５の一部を手前側に引き出すと、この上ウェビング５の一端部５ａが前方（使用者の前面側）に引き出される。これに伴い、一端部５ａが接続されているフレーム４を介して袋本体２が、場合によっては該袋本体２に収容されている内容物とともに前方（使用者の身体側）へと引き寄せられる（図２参照）。そうすると、バックパック１と使用者の背中との間に生じていた隙間（図１等において符号Ｓで示す）が減少し、あるいはなくなる。
【００３１】
このように上ウェビング５の一部を手前に引き出す際、使用者の肩に接触した状態のショルダーストラップ３は、当該上ウェビング５をよほど強く手前に引き出したような場合を除けば基本的に位置を変えることがない（図２参照）。したがって、上ウェビング５を手前に引き出すと、引き出した分、ショルダーストラップ３に対する当該上ウェビング５の相対位置が変わる。このとき、上ウェビング５の他端部５ｂはショルダーストラップ３の一部に固定されていることから、このように相対位置が変わることに伴い、上ウェビング５の折り返し部５ｃの位置も変わる。このように折り返し部５ｃの位置が変わると、折り返し長さ（折り返された上ウェビング５が重なり合って２層となっている部分の長さであり、他端部５ｂから折り返し部５ｃまでの長さが該当する）も変わる。したがって、本実施形態のバックパック１においては、使用者が上ウェビング５の一部を手前に引き出した後、当該引き出した部分を離せば、引き出した量に応じた分、ショルダーベルト（肩掛け）１０の長さ（上ウェビング５の一端部５ａからバックル６を経由して下ウェビング７の他端部７ｂまでの長さ）が自動的に短くなる（図３参照）。
【００３２】
以上のように、使用者が上ウェビング５の一部を手前側に引き出すという１回のアクションで、当該ショルダーベルト１０の長さ調整動作と、袋本体２を使用者の身体側に引き寄せる動作とを同時に行われる。このような動きを実現した本実施形態のバックパック１のショルダーベルト１０は、歩行等の際に荷物が左右に振れるのを低減して安定性を向上させるいわばスタビライザーとして機能する。
【００３３】
また、本実施形態のバックパック１においては、一部のパーツ（ショルダーストラップ３、上ウェビング５）に、ショルダーベルト１０の長さ調整機能と袋本体２を使用者の身体側に引き寄せる機能の両方を兼ね備えさせた構成となっている。このため、ショルダーベルト１０の長さ調整部分と袋本体（荷物）を引き寄せる部分が独立して構成されているバックパック（背負いバッグ）と比較して、当該機能を実現するために必要なパーツを少なくし、軽量化、低コスト化を図ることができるという利点もある。
【００３４】
なお、上述の実施形態は本発明の好適な実施の一例ではあるがこれに限定されるものではなく本発明の要旨を逸脱しない範囲において種々変形実施可能である。例えば上述した実施形態では、１回のアクションで、ショルダーベルト（肩掛け）１０の長さ調整動作と袋本体２を使用者の身体側に引き寄せる動作とを同時に行うことができると説明したが、ここでいう「同時」は厳密な意味での同時には限られない。すなわち、本明細書でいう「同時」は、従前は別々に行っていた２つ（２種類）の動作を、１回のアクションにより引き起こされる一連の立て続けの動きによって一度に行うことができるという意味であり、厳密な意味で両動作が同時に行われることのみを意味しているわけではない。
【００３５】
また、上述の実施形態では、上ウェビング５の一端部５ａが袋本体２に接続され、他端部５ｂがショルダーストラップ３に固着され、尚かつ、下ウェビング７の一端部７ａがバックル６に通され、他端部７ｂが袋本体２に接続されているバックパック１について説明したが、上記説明で述べた「一端部」、「他端部」は厳密な意味での端部には限らない。すなわち、例えば、各端部の先にも紐などが続いているような状態もあり得るが、本発明の作用効果を奏するための機能に着目して考えれば、同様の構成であれば、各端部から先に紐などが続いているような構成であっても本発明に含まれると考えるべきである。
【００３６】
また、上述の本実施形態では、上ウェビング５を袋本体２に直接的に接続した構成としたが（図１等参照）、この他、上ウェビング５の一端部５ａをフレーム４に取り付けることにより、袋本体２に対して該上ウェビング５を間接的に接続した構成とすることもできる。
【００３７】
また、上述の実施形態では特に説明しなかったが、バックパック（背負バッグ）１は、袋本体２の下端部をより確実に使用者に密着して固定するためのヒップベルト等を備えていてもよい。ヒップベルトは、例えば、その中央が使用者の脊柱の下部近傍位置と合致するように構成される等する。
【００３８】
また、上述の実施形態では、背負バッグの一例としてバックパックに本発明を適用した例について説明したが、本発明はこれに限定されることなく、いわゆるナップサック、リュックサックと称されるような背負バッグにも適応することが可能である。
【００３９】
また、上述の実施形態では、バックル（留め具）６を構成に含むバックパック１を示したがこれも好適例にすぎない。特に図示はしていないが、この他、例えば下ウェビング７の一端部７ａ付近にスリットを設けておき、上ウェビング５の他端部５ｂを該スリットに通して折り返すようにしてバックルを省略した構成とすることも可能である。
【産業上の利用可能性】
【００４０】
本発明は、バックパックをはじめ、使用者の両肩に背負われる形式の背負バッグに適用して好適である。
【符号の説明】
【００４１】
１…バックパック（背負バッグ）
２…袋本体
３…ショルダーストラップ
３ａ…ループ部、４…フレーム
５…上ウェビング
５ａ…（上ウェビングの）一端部
５ｂ…（上ウェビングの）他端部
５ｃ…（上ウェビングの）折り返し部
６…バックル（留め具）
７…下ウェビング
７ａ…（下ウェビングの）一端部
７ｂ…（下ウェビングの）他端部
【図１】
0006426049.tif 000002
【図２】
0006426049.tif 000003
【図３】
0006426049.tif 000004
【図４】
0006426049.tif 000005